(57)【要約】【課題】  環境によって紫外線の照り返し量が異なる場合においても、より最適な日焼け防止策を提示することができる。【解決手段】  スイッチ１０４には、環境特定情報と、紫外線の照射を受ける照射時間とが入力される。紫外線センサー１０５は紫外線強度を測定する。ＲＯＭ１０９は、環境に応じた紫外線の照り返し量を特定するための照り返し量特定情報を環境毎に記憶する。ＣＰＵ１０１は、スイッチ１０４に入力された環境特定情報で特定される環境の照り返し量特定情報をＲＯＭ１０９から読み出し、照り返し量特定情報と紫外線センサー１０５が測定した紫外線強度とに基づいて、照り返しを含む紫外線強度を算出する。また、ＣＰＵ１０１は、スイッチ１０４に入力された照射時間と、算出した照り返しを含む紫外線強度とに基づいて、照射時間中の日焼けを防止する防止策を特定する。ＬＣＤ１０８は、ＣＰＵ１０１が特定した防止策を表示する。【選択図】図１
2011203137.tif 000002
【特許請求の範囲】
【請求項１】
紫外線強度を測定する環境を特定する環境特定情報と、紫外線の照射を受ける照射時間とが入力される入力部と、
紫外線強度を測定する紫外線センサーと、
環境に応じた紫外線の照り返し量を特定するための照り返し量特定情報を環境毎に記憶する記憶部と、
前記入力部に入力された前記環境特定情報で特定される環境の前記照り返し量特定情報を前記記憶部から読み出し、当該照り返し量特定情報と前記紫外線センサーが測定した紫外線強度とに基づいて、照り返しを含む紫外線強度を算出する強度算出部と、
前記入力部に入力された前記照射時間と、前記強度算出部が算出した前記照り返しを含む紫外線強度とに基づいて、当該照射時間中の日焼けを防止する防止策を特定する日焼け防止策特定部と、
前記日焼け防止策特定部が特定した前記防止策を表示する表示部と、
を備えたことを特徴とする紫外線測定装置。
【請求項２】
前記日焼け防止策特定部は、前記入力部に入力された前記照射時間と、前記強度算出部が算出した前記照り返しを含む紫外線強度とに基づいて、当該照射時間中の日焼けを防止するために最適な日焼け止めクリームのＳＰＦ値を算出し、
前記表示部は、前記日焼け防止策特定部が算出した前記ＳＰＦ値を表示する
ことを特徴とする請求項１に記載の紫外線測定装置。
【発明の詳細な説明】
【技術分野】
【０００１】
本発明は、紫外線測定装置に関する。
【背景技術】
【０００２】
従来、入力された肌の状態や、希望日焼け程度や、日光浴時間等を示す情報と、測定した紫外線強度とに基づいて、最適な日焼け止めクリームを提示する日焼け情報演算装置が知られている（例えば、特許文献１参照）。
【先行技術文献】
【特許文献】
【０００３】
【特許文献１】特開昭５８−１２７６３３号公報
【発明の概要】
【発明が解決しようとする課題】
【０００４】
紫外線の照り返し量は環境によって異なる。例えば土のグラウンドと、雪山とでは、紫外線の照り返し量は大きく異なる。しかしながら、上記の日焼け情報算出装置では、環境に応じて最適な日焼け止めクリームを提示することができないという問題がある。
【０００５】
そこで、本発明は、上述の事情を鑑みてなされたものであり、環境によって紫外線の照り返し量が異なる場合においても、より最適な日焼け防止策を提示することができる紫外線測定装置を提供することを目的とする。
【課題を解決するための手段】
【０００６】
本発明は、紫外線強度を測定する環境を特定する環境特定情報と、紫外線の照射を受ける照射時間とが入力される入力部と、紫外線強度を測定する紫外線センサーと、環境に応じた紫外線の照り返し量を特定するための照り返し量特定情報を環境毎に記憶する記憶部と、前記入力部に入力された前記環境特定情報で特定される環境の前記照り返し量特定情報を前記記憶部から読み出し、当該照り返し量特定情報と前記紫外線センサーが測定した紫外線強度とに基づいて、照り返しを含む紫外線強度を算出する強度算出部と、前記入力部に入力された前記照射時間と、前記強度算出部が算出した前記照り返しを含む紫外線強度とに基づいて、当該照射時間中の日焼けを防止する防止策を特定する日焼け防止策特定部と、前記日焼け防止策特定部が特定した前記防止策を表示する表示部と、を備えたことを特徴とする紫外線測定装置である。
【０００７】
また、本発明の紫外線測定装置において、前記日焼け防止策特定部は、前記入力部に入力された前記照射時間と、前記強度算出部が算出した前記照り返しを含む紫外線強度とに基づいて、当該照射時間中の日焼けを防止するために最適な日焼け止めクリームのＳＰＦ値を算出し、前記表示部は、前記日焼け防止策特定部が算出した前記ＳＰＦ値を表示することを特徴とする。
【発明の効果】
【０００８】
本発明によれば、記憶部は、環境に応じた紫外線の照り返し量を特定するための照り返し量特定情報を環境毎に記憶する。強度算出部は、入力された環境特定情報で特定される環境の照り返し量特定情報を記憶部から読み出し、照り返し量特定情報と紫外線センサーが測定した紫外線強度とに基づいて、照り返しを含む紫外線強度を算出する。日焼け防止策特定部は、入力された照射時間と、強度算出部が算出した照り返しを含む紫外線強度とに基づいて、照射時間中の日焼けを防止する防止策を特定する。これにより、環境によって紫外線の照り返し量が異なる場合においても、より最適な日焼け防止策を提示することができる。
【図面の簡単な説明】
【０００９】
【図１】本発明の一実施形態における紫外線測定装置の構成を示したブロック図である。
【図２】本実施形態における環境情報ファイルのデータ構造を示す概略図である。
【図３】本実施形態における紫外線測定装置の動作を示したフローチャートである。
【発明を実施するための形態】
【００１０】
以下、本発明の一実施形態について、図面を参照しながら説明する。図１は、本実施形態における紫外線測定装置の構成を示したブロック図である。図示する例では、紫外線測定装置１００は、ＣＰＵ１０１（中央処理装置、制御部、強度算出部、日焼け防止策特定部）と、発振回路１０２と、分周回路１０３と、スイッチ１０４（入力部）と、紫外線センサー１０５と、センサー検出回路１０６と、表示駆動回路１０７と、ＬＣＤ（Ｌｉｑｕｉｄ  Ｃｒｙｓｔａｌ  Ｄｉｓｐｌａｙ、液晶ディスプレイ）１０８（表示部）と、ＲＯＭ（Ｒｅａｄ  Ｏｎｌｙ  Ｍｅｍｏｒｙ、読み出し専用メモリ）１０９（記憶部）と、ＲＡＭ（Ｒａｎｄｏｍ  Ａｃｃｅｓｓ  Ｍｅｍｏｒｙ、ランダムアクセスメモリ）１１０とを備える。
【００１１】
ＣＰＵ１０１は、制御部として動作し、紫外線測定装置１００が備える各部の制御を行う。また、ＣＰＵ１０１は、強度算出部として動作し、紫外線センサー１０５が測定した紫外線強度と、環境に応じた照り返し量を特定するための照り返し量特定情報とに基づいて、照り返しを含む紫外線強度を算出する。また、ＣＰＵ１０１は、日焼け防止策特定部として動作し、照り返しを含む紫外線強度と、スイッチ１０４に入力された紫外線の照射を受ける照射時間とに基づいて、照射時間中の日焼けを防止する防止策を特定する。例えば、ＣＰＵ１０１は、照射時間中の日焼けを防止する防止策として、スイッチ１０４に入力された照射時間と、算出した照り返しを含む紫外線強度とに基づいて、照射時間中の日焼けを防止するために最適な日焼け止めクリームのＳＰＦ値を算出し、このＳＰＦ値を防止策として出力する。
【００１２】
なお、照射時間中の日焼けを防止する防止策の特定方法は、例えは特開昭５８−１２７６３３号公報に記載の方法など、防止策を特定することができる方法であればどのような方法を用いてもよい。但し、本実施形態では従来と異なり、紫外線センサー１０５が測定した紫外線強度をそのまま用いるのではなく、照り返しを含む紫外線強度を用いて照射時間中の日焼けを防止する防止策を特定する。これにより、環境によって紫外線の照り返し量が異なる場合においても、より最適な日焼け防止策を提示することができる。
【００１３】
発振回路１０２は、所定周波数の信号を出力する。分周回路１０３は、発振回路１０２の出力信号を所定分周比で分周してＣＰＵ１０１用の規準クロック信号や計時用の時計信号を出力する。スイッチ１０４は、外部から操作可能であり、紫外線を測定する環境を特定するための情報や、紫外線が照射される時間を示す情報などの入力を受け付ける。紫外線センサー１０５は、紫外線の強度に応じたアナログ信号を出力する。センサー検出回路１０６は、紫外線センサー１０５が出力するアナログ信号をデジタル信号に変換する。
【００１４】
表示駆動回路１０７は、ＬＣＤの表示を制御する。ＬＣＤ１０８は、スイッチ１０４で入力される情報や、日焼け防止策（ＳＰＦ値）や、紫外線の強度を示す情報（測定値（μＷ／ｃｍ２）、ＵＶインデックスなど）などを表示する。ＲＯＭ１０９は、ＣＰＵ１０１が実行するプログラムを予め記憶している。また、ＲＯＭ１０９は、環境（紫外線の測定場所など）に応じた紫外線の照り返し量を特定するための情報を含む環境情報ファイルを予め記憶している。ＲＡＭ１１０は、紫外線測定装置１００が用いるデータを記憶する。
【００１５】
次に、本実施形態における紫外線測定装置１００のＲＯＭ１１０が記憶する環境情報ファイルについて説明する。図２は、本実施形態における環境情報ファイルのデータ構造を示す概略図である。環境情報ファイルは「競技」と、「環境」と、「係数」と、「ＵＶ算出量」とのデータ項目を有しており、各データ項目のデータを行毎に関連付けて記憶する。
【００１６】
データ項目「競技」は、ユーザーにより選択される競技名（紫外線強度を測定する環境を特定する環境特定情報）を記憶する。データ項目「環境」は、競技が行われる環境名（紫外線強度を測定する環境を特定する環境特定情報）を記憶する。データ項目「係数」は、環境に応じた紫外線の照り返しの割合を示す係数（照り返し量特定情報）を記憶する。データ項目「ＵＶ算出量」は、紫外線センサー１０５が測定した紫外線量から、紫外線の照り返しを考慮した紫外線量を算出するための係数（照り返し量特定情報）を記憶する。
【００１７】
図示する例では、行２０１のデータ項目「競技」に記憶されている値が「野球」であり、データ項目「環境」に記憶されている値が「土草」であり、データ項目「係数」に記憶されている値が「１０％」であり、データ項目「ＵＶ算出量」に記憶されている値が「１１０％」である。これは、スイッチ１０４で選択された競技が野球である場合、紫外線を測定する環境は土や草のグラウンド等であり、このときの紫外線の照り返し量は紫外線センサー１０５が測定した値の１０％であり、紫外線の照り返し量を考慮した紫外線量は紫外線センサー１０５が測定した値の１１０％であることを示している。これにより、紫外線を測定する環境を特定するための情報として「野球」が入力された場合、紫外線を測定する環境「土草」に応じた紫外線の照り返し量「紫外線センサー１０５が測定した紫外線量の１０％の値」と、紫外線の照り返し量を考慮した紫外線量「紫外線センサー１０５が測定した紫外線量の１１０％の値」とを特定することができる。なお、他の行については図示するとおりである。
【００１８】
ＣＰＵ１０１は、スイッチ１０４に入力された環境特定情報で特定される環境に応じた紫外線の照り返しの割合を示す係数（データ項目「係数」に記憶されている情報）を、紫外線センサー１０５が測定した紫外線強度に乗算することで、紫外線の照り返し量を算出する。そして、ＣＰＵ１０１は、算出した紫外線の照り返し量と、紫外線センサー１０５が測定した紫外線強度とを加算することで、紫外線の照り返し量を含む紫外線強度を算出する。
【００１９】
なお、ＣＰＵ１０１は、スイッチ１０４に入力された環境特定情報で特定される環境に応じた紫外線の照り返しを考慮した紫外線量を算出するための係数（データ項目「ＵＶ算出量」に記憶されている情報）を、紫外線センサー１０５が測定した紫外線強度に乗算することで、紫外線の照り返し量を含む紫外線強度を算出してもよい。
【００２０】
次に、本実施形態における紫外線測定装置１００の動作について説明する。図３は、本実施形態における紫外線測定装置１００の動作を示したフローチャートである。
【００２１】
（ステップＳ１０１）紫外線測定装置１００のＣＰＵ１０１は、表示駆動回路１０７を制御し、ＲＯＭ１０９が記憶する環境情報ファイルのデータ項目「競技」に記憶されている全ての競技名をＬＣＤ１０８に表示させる。なお、全ての競技名を一度にＬＣＤ１０８に表示させてもよく、競技名を１つまたは複数毎に順次ＬＣＤ１０８に表示させてもよい。ユーザーは、紫外線測定装置１００のスイッチ１０４を操作し、ＬＣＤ１０８に表示されている競技名のうち１つを入力（選択）する。また、ユーザーは、紫外線測定装置１００のスイッチ１０４を操作し、活動時間（紫外線の照射を受ける時間）を入力する。紫外線測定装置１００のＣＰＵ１０１は、入力された競技名と活動時間とをＲＡＭ１１０に記憶させる。その後、ステップＳ１０２の処理に進む。
【００２２】
（ステップＳ１０２）ＣＰＵ１０１は、ＲＯＭ１０９に記憶されている環境情報ファイルから、ステップＳ１０１で入力された競技名と関連付けて記憶されているＵＶ算出量を読み出す。その後、ステップＳ１０３の処理に進む。例えば、ＣＰＵ１０１は、ステップＳ１０１で競技名「野球」が入力された場合、ＵＶ算出量「１１０％」を読み出す。
【００２３】
（ステップＳ１０３）ＣＰＵ１０１は、紫外線センサー１０５とセンサー検出回路１０６とを動作させ、紫外線強度（紫外線量）を測定する。その後、ステップ１０４の処理に進む。
（ステップＳ１０４）ＣＰＵ１０１は、ステップＳ１０２で読み出したＵＶ算出量と、ステップＳ１０３で測定した紫外線強度とに基づいて、照り返しを考慮した紫外線強度を算出する。その後、ステップＳ１０５の処理に進む。
【００２４】
（ステップＳ１０５）ＣＰＵ１０１は、ステップＳ１０１で入力された「活動時間」と、ステップＳ１０４で算出した照り返しを考慮した紫外線強度とに基づいて、活動時間中の日焼けを防止するために必要なＳＰＦ値を算出する。その後、ステップＳ１０６の処理に進む。
（ステップＳ１０６）ＣＰＵ１０１は、表示駆動回路１０７を制御し、ＬＣＤ１０８にステップＳ１０５で算出したＳＰＦ値を表示させる。その後、処理を終了する。
【００２５】
上述したとおり、本実施形態の紫外線測定装置１００は、環境に応じた紫外線の照り返し量を特定するための情報を予めＲＯＭ１０９に記憶しているため、紫外線センサー１０５が測定した紫外線強度と、環境に応じた紫外線の照り返し量を特定するための情報とを用いて、紫外線の照り返しを考慮した紫外線強度を算出することができる。そして、紫外線測定装置１００は、紫外線の照り返しを考慮した紫外線強度に基づいて、活動時間中の日焼けを防止するために必要なＳＰＦ値を算出するため、より最適な日焼け防止策を提示することができる。
【００２６】
なお、上述した実施形態における紫外線測定装置１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００２７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００２８】
以上、本発明の一実施形態について説明したが、本発明は、上記実施形態に限定されるものではなく、本発明の趣旨を逸脱しない範囲において種々の変更を加えることが可能である。本実施形態では、環境を特定する環境情報として、ステップＳ１０１の処理で「競技」の入力を受け付けるようにしたが、これに限らない。例えば、ステップＳ１０１の処理で「環境」の入力を受け付けるようにし、ステップＳ１０２以降の処理で「環境」と関連付けて記憶されているＵＶ算出量を環境情報ファイルから読み出し、ＵＶ算出量を用いて紫外線の照り返しを考慮した紫外線強度を算出するようにしてもよい。また、紫外線測定装置１００を腕時計型の装置としてもよく、容易に持ち運びが可能なように小型の装置としてもよい。また、紫外線測定装置１００を他の電子機器に組み込んでもよい。
【符号の説明】
【００２９】
１００・・・紫外線測定装置、１０１・・・ＣＰＵ、１０２・・・発振回路、１０３・・・分周回路、１０４・・・スイッチ、１０５・・・紫外線センサー、１０６・・・センサー検出回路、１０７・・・表示駆動回路、１０８・・・ＬＣＤ、１０９・・・ＲＯＭ、１１０・・・ＲＡＭ
【図１】
2011203137.tif 000003
【図２】
2011203137.tif 000004
【図３】
2011203137.tif 000005